(57)【要約】【課題】照射部材が破損することを抑制できる保護部材および美容器具を提供すること。【解決手段】ガラス部材６０の照射面６１から光を照射するハンドピース１０に着脱可能に装着される保護部材８０であって、光透過性材料から板状に形成にされ、ガラス部材６０の照射面６１に対面する位置に配設される対面部８１を備える。よって、皮膚の表面に付着している付着物がガラス部材６０の照射面６１に転移することを抑制でき、ガラス部材６０に熱が加えられることを抑制できる。その結果、ガラス部材６０の破損を抑制できる。また、ガラス部材６０の照射面６１から光を照射するハンドピース１０に着脱可能に装着されるため、破損した場合または変色した場合、交換することが容易であり、交換コストを低減できる。【選択図】図３
0003211375.tif 000002
【実用新案登録請求の範囲】
【請求項１】
照射部材の照射面から光を照射する美容器具の前記照射部材に着脱可能に装着される保護部材であって、
光透過性材料から板状に形成され、前記照射部材の照射面に対面する位置に配設される対面部を備えることを特徴とする保護部材。
【請求項２】
前記照射部材には、ラジオ波を発生する金属板が少なくともその金属板の一端を前記照射面側に露出させた状態で配設され、
粘性を有するジェルを前記対面部と前記照射部材の照射面との間に介在させた状態で前記照射部材に装着されることを特徴とする請求項１記載の保護部材。
【請求項３】
前記対面部から立設され前記照射部材の周囲を取り囲む立設部を備えることを特徴とする請求項２記載の保護部材。
【請求項４】
前記立設部は、その内面と前記照射部材の外面との間に隙間が形成される大きさに形成されることを特徴とする請求項３記載の保護部材。
【請求項５】
前記立設部の立設先端が前記美容器具の外面に当接された状態では、前記対面部と前記照射部材の照射面との間に所定の隙間が形成されることを特徴とする請求項３又は４に記載の保護部材。
【請求項６】
少なくとも前記対面部が樹脂材料から構成されることを特徴とする請求項１から５のいずれかに記載の保護部材。
【請求項７】
前記対面部が正面視矩形の板状に形成されると共に、前記立設部が正面視矩形の４枚の板状に形成され、
前記対面部の各側面に前記立設部の内面がそれぞれ連結されることを特徴とする請求項３から５のいずれかに記載の保護部材。
【請求項８】
照射部材の照射面から光を照射する美容器具において、
光透過性材料から板状に形成され、前記照射部材の照射面に対面する位置に配設される対面部と、前記対面部から立設され前記照射部材の周囲を取り囲む立設部とを有する保護部材と、
前記保護部材の対面部と前記照射部材の照射面との間に介在され粘性を有するジェルと、を備え、
前記立設部は、その内面と前記照射部材の外面との間に隙間が形成される大きさに形成されることを特徴とする美容器具。
【考案の詳細な説明】
【技術分野】
【０００１】
本考案は保護部材および美容器具に関し、特に、照射部材が破損することを抑制できる保護部材に関するものである。
【背景技術】
【０００２】
従来、シミやそばかすの改善やハリやツヤの回復など、皮膚の改善を目的としてＩＰＬを用いた美容器具が使用されている。ここで、ＩＰＬとは、Ｉｎｔｅｎｓｅ  Ｐｕｌｓｅｄ  Ｌｉｇｈｔの略であり、シミやそばかすの改善に効果のある波長を含む幅広い波長領域を備えた光のことである。
【０００３】
このような美容器具では、光の照射を行う部材（照射部材）の一部を皮膚に当接させて使用されている（特許文献１）。
【先行技術文献】
【特許文献】
【０００４】
【特許文献１】特許第５７０１８９５号公報（段落００６５、図３０）
【考案の概要】
【考案が解決しようとする課題】
【０００５】
しかしながら、上述した従来の技術のように、照射部材の一部を皮膚に当接させて使用する構造では、皮膚の表面に付着している埃や皮脂等の付着物が照射部材の照射面に転移する。照射面に付着物が当接した状態で器具の使用を行うと、付着物が光を吸収し、照射部材に熱が加えられる。その結果、照射部材が破損するという問題点があった。特に光の吸収率の向上を目的としてカーボンクリームのような有色物を皮膚表面に付着させる場合、照射部材の破損は顕著に発生する。
【０００６】
本考案は、上述した問題点を解決するためになされたものであり、照射部材が破損することを抑制できる保護部材を提供することを目的としている。
【課題を解決するための手段】
【０００７】
この目的を達成するために本考案の保護部材は、照射部材の照射面から光を照射する美容器具の前記照射部材に着脱可能に装着されるものであって、光透過性材料から板状に形成され、前記照射部材の照射面に対面する位置に配設される対面部を備えている。
【０００８】
また本考案の美容器具は、照射部材の照射面から光を照射するものにおいて、光透過性材料から板状に形成され、前記照射部材の照射面に対面する位置に配設される対面部と、前記対面部から立設され前記照射部材の周囲を取り囲む立設部とを有する保護部材と、前記保護部材の対面部と前記照射部材の照射面との間に介在され粘性を有するジェルと、を備え、前記立設部は、その内面と前記照射部材の外面との間に隙間が形成される大きさに形成されている。
【考案の効果】
【０００９】
請求項１記載の保護部材によれば、光透過性材料から板状に形成され、照射部材の照射面に対面する位置に配設される対面部を備える。そのため、皮膚の表面に付着している付着物が照射部材の照射面に転移することを抑制でき、照射部材に熱が加えられることを抑制できる。その結果、照射部材の破損を抑制できる。また、照射部材の照射面から光を照射する美容器具の照射部材に着脱可能に装着されるため、破損した場合または変色した場合、交換することが容易であり、交換コストを低減できる。
【００１０】
請求項２記載の保護部材によれば、請求項１記載の保護部材の奏する効果に加え、照射部材には、ラジオ波を発生する金属板が少なくともその金属板の一端を照射面側に露出させた状態で配設され、粘性を有するジェルを対面部と照射部材の照射面との間に介在させた状態で照射部材に装着されるため、ラジオ波の熱エネルギーが金属板の一端の局部に集中することが抑制でき、皮膚が火傷を負うことが抑制できる。
【００１１】
請求項３記載の保護部材によれば、対面部から立設され照射部材の周囲を取り囲む立設部を備えるため、照射部材が皮膚に沿って移動する状態において、照射部材に立設部を係合させることができる。これにより、請求項２記載の保護部材の奏する効果に加え、照射部材の照射面と保護部材の対面部との相対位置を維持できる。また、立設部の内面によりジェルを対面部上に保持できる。
【００１２】
請求項４記載の保護部材によれば、請求項３記載の保護部材の奏する効果に加え、立設部は、その内面と照射部材の外面との間に隙間が形成される大きさに形成されるため、照射部材に対する保護部材の着脱を容易に行うことができる。なお、立設部の内面と照射部材の外面との間に隙間が形成される場合においても、対面部と照射部材の照射面との間に介在されたジェルの粘性を利用することで、照射部材への保護部材の配設状態を保持できる。
【００１３】
請求項５記載の保護部材によれば、請求項３又は４に記載の保護部材の奏する効果に加え、立設部の立設先端が美容器具の外面に当接された状態では、対面部と照射部材の照射面との間に所定の隙間が形成されるため、美容器具に対する保護部材の配設位置を調整不要とできる。即ち、立設部の立設先端と美容器具の外面との当接により、保護部材の配設位置が定まると共に、照射部材の照射面と保護部材の対面部との間にジェルを収容する空間が形成できる。従って、保護部材の美容器具への配設を容易に行うことができる。
【００１４】
請求項６記載の保護部材によれば、請求項１から５のいずれかに記載の保護部材の奏する効果に加え、少なくとも対面部が樹脂材料から構成されるため、光透過性を確保しつつ、ガラス材料と比較して部品コストを低減できる。
【００１５】
請求項７記載の保護部材によれば、対面部が正面視矩形の板状に形成されると共に、立設部が正面視矩形の４枚の板状に形成され、対面部の各側面に立設部の内面がそれぞれ連結されるため、保護部材の対面部と皮膚とが当接して美容器具（保護部材）が皮膚上を移動する状態において対面部に発生する摩擦抵抗を、立設部の内面で受け止めることができる。その結果、請求項３から５のいずれかに記載の保護部材の奏する効果に加え、立設部からの対面部の脱落を抑制できる。
【００１６】
請求項８記載の美容器具によれば、光透過性材料から板状に形成され、照射部材の照射面に対面する位置に配設される対面部を有する保護部材を備えるので、照射部材の破損を抑制できる。また、保護部材が照射部材に着脱可能に装着されるため、交換コストを低減できる。また、保護部材は、対面部から立設され照射部材の周囲を取り囲む立設部を備えるため、照射部材の照射面と保護部材の対面部との相対位置を維持できる。また、保護部材の対面部と照射部材の照射面との間に介在され粘性を有するジェルを備え、立設部は、その内面と照射部材の外面との間に隙間が形成される大きさに形成されるため、ジェルの粘性を利用することで、照射部材への保護部材の配設状態を保持できると共に、脱着を容易に行うことができる。
【図面の簡単な説明】
【００１７】
【図１】（ａ）は本考案の１実施の形態におけるハンドピースの底面図であり、（ｂ）はハンドピースの側面図であり、（ｃ）は図１（ａ）のＩｃ−Ｉｃ線におけるハンドピースの断面図である。
【図２】（ａ）は保護部材の正面斜視図であり、（ｂ）は図２（ａ）の矢印ＩＩｂ方向視における保護部材の側面図であり、（ｃ）は図２（ｂ）の矢印ＩＩｃ方向視における保護部材の底面図であり、（ｄ）は図２（ｂ）のＩＩｄ−ＩＩｄ線における保護部材の断面図である。
【図３】（ａ）は図１（ａ）のＩｃ−Ｉｃ線におけるハンドピースの断面図であり、（ｂ）はハンドピースの側面図である。
【図４】ハンドピースの側面図である。
【考案を実施するための形態】
【００１８】
以下、本考案の好ましい実施の形態について添付図面を参照して説明する。まず、本考案の１実施の形態におけるハンドピース１０について図１を参照にして説明する。
【００１９】
図１（ａ）は本考案の１実施の形態におけるハンドピース１０の底面図であり、図１（ｂ）はハンドピース１０の側面図であり、図１（ｃ）は図１（ａ）のＩｃ−Ｉｃ線におけるハンドピース１０の拡大断面図である。
【００２０】
なお、図１（ａ）では、金属板５０を破線により図示し、図１（ｂ）では、保護部材８０が、ハンドピース１０から脱離されて図示される。また、図１（ａ）から図１（ｃ）の矢印Ｕ−Ｄ，Ｌ−Ｒ，Ｆ−Ｂは、ハンドピース１０の上下方向、左右方向、前後方向をそれぞれ示している。また、図２から図４においても同様である。
【００２１】
本実施の形態におけるハンドピース１０は、外枠２１，２２、キセノンランプ３０、フィルタ４０、金属板５０、ガラス部材６０、冷却部材７０及び保護部材８０から形成される。
【００２２】
外枠２１，２２は、非光透過性の樹脂材料から一定の厚さに形成され、外枠２２は、外枠２１の当接面２１ａを対称面として、外枠２１に対し面対称な形状に形成される。外枠２２の側面には、フィルタ４０を挿通させるための開口面２２ｂが形成される。
【００２３】
キセノンランプ３０は、ＩＰＬを照射するための部材であり、断面視して円形状に形成されるガラス管３１を備え、ガラス管３１内の空間３１ａにはキセノンガスが封入される。ＩＰＬとは、Ｉｎｔｅｎｓｅ  Ｐｕｌｓｅｄ  Ｌｉｇｈｔの略であり、シミやそばかすの改善やハリやツヤの回復など、皮膚の改善に効果のある波長を含む幅広い波長領域を備えた光のことである。
【００２４】
フィルタ４０は、特定波長以上の光のみを透過させるための部材であり、キセノンランプ３０から照射されたＩＰＬのうち、特定波長以上の光のみを透過させる。また、美容の目的に応じてフィルタ４０を変更することで、透過する光の波長が変更される。
【００２５】
金属板５０は、ラジオ波を放出するための部材であり、側面視して略矩形の板状体から形成され、２枚の金属板５０が、ハンドピース１０に配設される。
【００２６】
ガラス部材６０は、キセノンランプ３０を保護するための部材であり、光透過性を備えたガラス材料から形成され、直方体に形成される。
【００２７】
冷却部材７０は、一方の面から対向する他方の面に熱が移動することにより、一方の面に当接する部材を冷却するための部材である。本実施の形態においては、冷却部材７０の内面７１から対向する外面７２へ熱が移動する。２個の冷却部材７０が、ハンドピース１０に配設される。
【００２８】
保護部材８０は、ガラス部材６０と人体の皮膚とが接触することを抑制するための部材であり、光透過性を備えた樹脂材料から形成される。よって、ガラス材料から形成される場合と比較して、光透過性を悪化させること無く、部品コストを低減できる。
【００２９】
ここで、図２を参照して、保護部材８０について説明する。図２（ａ）は保護部材８０の正面斜視図であり、図２（ｂ）は図２（ａ）の矢印ＩＩｂ方向視における保護部材８０の側面図であり、図２（ｃ）は図２（ｂ）の矢印ＩＩｃ方向視における保護部材８０の底面図であり、図２（ｄ）は図２（ｂ）のＩＩｄ−ＩＩｄ線における保護部材８０の断面図である。
【００３０】
図２に示すように、保護部材８０は、対面部８１、第１立設部８２及び第２立設部８３から形成される。対面部８１は、底面視して略矩形の板状体に形成され、第１立設部８２は、側面視して略矩形の板状体に形成され、第２立設部８３は、前面視して略矩形の板状体に形成される。また、対面部８１、第１立設部８２及び第２立設部８３は、それぞれ一定の厚さ寸法を備えて形成される。
【００３１】
保護部材８０は、対面部８１の側面を第１立設部８２及び第２立設部８３が取り囲んで形成される。また、対面部８１の下面８１ａ、第１立設部８２の下面８２ａ及び第２立設部８３の下面８３ａは、面一に配設される。また、第１立設部８２及び第２立設部８３は、立設して配設される。また、第１立設部８２の上面８２ｂ及び第２立設部８３の上面８３ｂは面一に配設される。従って、保護部材８０は、対面部８１の側面と、第１立設部８２の内面および第２立設部８３の内面とが当接して形成されると共に、上面側（図２（ｄ）矢印Ｕ方向側）が開口された箱状に形成される。
【００３２】
また、対面部８１の上面８１ｂから第１立設部８２の上面８２ｂ及び第２立設部８３の上面８３ｂまでの距離Ｌ４は、後述するハンドピース１０からの金属板５０の突設長さＬ１（図１（ｂ）参照）よりも大きく形成される。第１立設部８２の対向する内面間の距離Ｌ５は、後述するハンドピース１０に配設された金属板５０の外面５０ａ間の距離Ｌ２（図１（ａ）参照）よりも大きく形成される。第２立設部８３の対向する内面間の距離Ｌ６は、金属板５０の前後方向（図１（ｂ）参照）における長さＬ３よりも大きく形成される。従って、保護部材８０の内側に形成された空間８４に外枠２１，２２から突設して配設される金属板５０の突設部５１を内包できる（図１（ｃ）参照）。
【００３３】
本実施の形態においては、対面部８１、第１立設部８２及び第２立設部８３の厚さ寸法は３ｍｍに形成される。また、対面部８１、第１立設部８２及び第２立設部８３は、それぞれの当接面が無色透明な接着剤により接着固定して保護部材８０が形成される。
【００３４】
図１に戻って説明する。ハンドピース１０は、外枠２１，２２により囲まれた空間１３を形成する。なお、ハンドピース１０の下面（図１（ｃ）矢印Ｄ方向側の面）には開口面１４が形成される。
【００３５】
ハンドピース１０の空間１３内にはキセノンランプ３０、フィルタ４０及び冷却部材７０が配設される。２枚の金属板５０及びガラス部材６０は、それぞれ一部がハンドピース１０の空間１３及び開口面１４内に配設され、他部がハンドピース１０の外側（図１（ｃ）矢印Ｄ方向側）に突設して配設される。
【００３６】
金属板５０は、金属板５０の内面とガラス部材６０の側面とが当接してハンドピース１０に配設される。また、２枚の金属板５０のハンドピース１０からの突設長さは同一であり、２枚の金属板５０は、ガラス部材６０のハンドピース１０からの突設長さよりもやや大きく突設される。
【００３７】
また、２枚の金属板５０及びガラス部材６０が保護部材８０の空間８４内に内包されて、ハンドピース１０の外側（図１（ｃ）矢印Ｄ方向側）に保護部材８０が配設される。
【００３８】
上述したように、保護部材８０の対面部８１の上面８１ｂから第１立設部８２の上面８２ｂ及び第２立設部８３の上面８３ｂまでの距離Ｌ４（図２（ｄ）参照）は、ハンドピース１０からの金属板５０の突設長さＬ１よりも大きく形成されるため、保護部材８０の上面（第１立設部８２の上面８２ｂ及び第２立設部８３の上面８３ｂ）と外枠２１，２２の外面とが当接して配設された状態において、対面部８１の上面８１ｂと金属板５０の突設部５１の先端との間には隙間Ｓ１が形成される。
【００３９】
同様に、保護部材８０の内面（第１立設部８２の内面および第２立設部８３の内面）と金属板５０の外面５０ａとの間にはそれぞれ隙間Ｓ２及び隙間Ｓ３（図３（ｂ）参照）が形成されることが可能となる。従って、保護部材８０は金属板５０の周囲を取り囲むと共に、保護部材８０と金属板５０とは互いに当接せずにハンドピース１０に配設されることが可能となる。
【００４０】
フィルタ４０は、上下方向（図１（ｃ）矢印Ｕ，Ｄ方向）において、キセノンランプ３０とガラス部材６０との間に配設される。従って、キセノンランプ３０から照射されたＩＰＬの内、フィルタ４０を透過する特定波長以上の光が、ガラス部材６０を透過して照射面６１からハンドピース１０の外側に照射される。
【００４１】
フィルタ４０は、把持部４２を把持され、開口面２２ｂ内に挿入されることでハンドピース１０の空間１３内に配設される。
【００４２】
冷却部材７０は、冷却部材７０の内面７１と金属板５０の外面５０ａとが当接してハンドピース１０に２個配設される。また、それぞれの冷却部材７０は、ハンドピース１０の空間１３内に配設される。
【００４３】
次に図３及び図４を参照して、美容器具の使用状態におけるハンドピース１０について説明する。図３（ａ）は図１（ａ）のＩｃ−Ｉｃ線におけるハンドピース１０の断面図であり、図３（ｂ）はハンドピース１０の側面図であり、図４はハンドピース１０の側面図である。なお、図３（ｂ）では、皮膚部Ｈ１の内側（図３（ｂ）矢印Ｄ方向側）の毛細血管Ｃを破線で示し、保護部材８０が皮膚部Ｈ１を圧接している範囲Ｃ１では、血液が流れにくい。
【００４４】
図３に示すように、美容器具を使用する場合、保護部材８０の対面部８１の上面８１ｂにジェルＧが塗布される。ジェルＧは、液体状であり、光透過性および粘性を備えて形成される。
【００４５】
上述したように、保護部材８０は、対面部８１の側面と、第１立設部８２の内面および第２立設部８３の内面とが当接して形成され、第１立設部８２の内面および第２立設部８３の内面が、対面部８１の上面８１ｂの周囲を囲うため、ジェルＧが対面部８１の上面８１ｂから流出することを抑制できる。また、保護部材８０は、上面側（図３（ａ）矢印Ｕ方向側）が開口された箱状に形成されるため、対面部８１の上面８１ｂへのジェルＧの塗布を容易に行うことができる。
【００４６】
また、対面部８１の上面８１ｂ上に、ジェルＧが所定以上の厚みを形成するまで塗布されることにより、少なくとも隙間Ｓ１（図１（ｃ）参照）内にジェルＧが満たされるまで配設される。即ち、ジェルＧは、金属板５０及び保護部材８０と当接して配設される。従って、ハンドピース１０に保護部材８０が配設された状態を、ジェルＧの粘性により保持できる。
【００４７】
また、保護部材８０の内面（対面部８１の上面８１ｂ、第１立設部８２の内面および第２立設部８３の内面）と金属板５０の外面との間に、それぞれ隙間Ｓ１、隙間Ｓ２（図１（ｃ）参照）及び隙間Ｓ３が形成されて保護部材８０が配設されるため、ハンドピース１０（外枠２１，２２）に対して保護部材８０の着脱を容易に行うことができる。また、冷却部材７０により金属板５０が冷却され、凍結した状態においても、保護部材８０と金属板５０とは当接しない。そのため、金属板５０と保護部材８０とが当接して凍結されることによる、金属板５０と保護部材８０との固着が抑制できる。また、金属板５０が冷却され、金属板５０の外面５０ａに霜が生成されることにより、隙間Ｓ２及び隙間Ｓ３が無くなることを抑制できる。従って、ハンドピース１０に対する保護部材８０の着脱を容易に行うことができる。
【００４８】
また、ハンドピース１０と保護部材８０の上面（第１立設部８２の上面８２ｂ及び第２立設部８３の上面８３ｂ）との当接により、保護部材８０がハンドピース１０に配設される。これにより、対面部８１の上面８１ｂと金属板５０の突設部５１の先端との間には隙間Ｓ１が形成される。従って、隙間Ｓ１を形成するための、保護部材８０の上下方向（図３（ａ）矢印Ｕ，Ｄ方向）における配設位置の調整が不要であり、ハンドピース１０への保護部材８０の配設を容易に行うことができる。
【００４９】
ハンドピース１０は、保護部材８０の下面（対面部８１の下面８１ａ、第１立設部８２の下面８２ａ及び第２立設部８３の下面８３ａ）を皮膚部Ｈ１に圧接した状態において、キセノンランプ３０からＩＰＬが照射され、フィルタ４０を透過した特定波長以上の光が、ガラス部材６０及び保護部材８０を透過して皮膚部Ｈ１に照射される。
【００５０】
上述したように、保護部材８０が皮膚部Ｈ１を圧接している範囲Ｃ１の毛細血管Ｃには血液が流れにくいため、血液が光を吸収することが抑制できる。その結果、毛細血管Ｃよりも更に内側（図３（ａ）矢印Ｄ方向側）に位置するシミ又はそばかす（図示せず）に光を吸収させることができる。
【００５１】
ここで、保護部材８０を配設しない場合、ガラス部材６０の照射面６１と皮膚部Ｈ１とが当接する。よって、皮膚部Ｈ１上に付着している付着物は、照射面６１に転移する。照射面６１に付着物が当接した状態において照射面６１から光が照射されると、付着物が光を吸収し、付着物が付着する照射面６１が加熱される。その結果、熱によりガラス部材６０が破損するという問題点があった。また、光の吸収率の向上を目的として有色物を皮膚表面に付着させることがある。特に、黒色のカーボンが配合されたカーボンクリームを皮膚表面に付着させる場合、黒色のカーボンが光を吸収することにより、ガラス部材６０の破損は顕著に発生する。
【００５２】
これに対し、本実施の形態では、ハンドピース１０に保護部材８０が配設されることにより、ガラス部材６０の照射面６１と皮膚部Ｈ１との間に保護部材８０の対面部８１が配設される。そのため、皮膚部Ｈ１上に付着している付着物が、ガラス部材６０の照射面６１に転移することを抑制できる。その結果、ガラス部材６０の破損が抑制できる。
【００５３】
また、対面部８１に付着物が転移することにより、対面部８１が加熱され、対面部８１が破損または変色した場合、保護部材８０を交換することで破損または変色による光透過性の悪化を抑制できる。
【００５４】
ガラス部材６０の一部は、ハンドピース１０の空間１３内に配設されるため、ガラス部材６０を交換することは困難である。もしくは、ガラス部材６０を交換することができない場合、ガラス部材６０を交換するために、ハンドピース１０を交換する必要がある。
【００５５】
これに対し、ハンドピース１０（外枠２１，２２）に対する保護部材８０の着脱は容易であるため、保護部材８０の交換を容易に行うことができる。また、ハンドピース１０を交換する場合と比較して、交換する部材の数を少なくできる。従って、ガラス部材６０又はハンドピース１０を交換する場合と比較して、交換コストを低減できる。
【００５６】
特に、本実施の形態では、保護部材８０（対面部８１、第１立設部８２及び第２立設部８３）は、樹脂材料から一定の厚さに形成され、第１立設部８２及び第２立設部８３は、立設して配設されるため、保護部材８０を皮膚部Ｈ１に圧接した状態において、上下方向（図３（ａ）矢印Ｕ，Ｄ方向）における圧縮力に対し、保護部材８０の形状を維持できる。よって、皮膚部Ｈ１と対面部８１との当接範囲において、皮膚部Ｈ１とガラス部材６０の照射面６１との距離を一定に保つことができる。その結果、照射範囲における皮膚部Ｈ１への加熱量のばらつきを抑制できる。
【００５７】
保護部材８０の下面と皮膚部Ｈ１とが当接した状態において、ハンドピース１０を皮膚部Ｈ１に沿って移動させる場合、金属板５０の外面５０ａと保護部材８０（第１立設部８２および第２立設部８３）の内面との当接により、保護部材８０をハンドピース１０の移動に追従させることができる。また、保護部材８０は、対面部８１の側面と、第１立設部８２の内面および第２立設部８３の内面とが当接して形成されるため、対面部８１は、ガラス部材６０の照射面６１と皮膚部Ｈ１との間に配設された状態を保持できる。
【００５８】
また、対面部８１に発生する摩擦抵抗を第１立設部８２の内面および第２立設部８３の内面が受け止める。従って、対面部８１と第１立設部８２及び第２立設部８３との接着固定が保持でき、第１立設部８２及び第２立設部８３からの対面部８１の脱落を抑制できる。
【００５９】
図４は、鼻の先端のような保護部材８０の下面よりも面積が小さい場所、又は、皮膚部Ｈ１に対して保護部材８０の下面が一部離間して保護部材８０が皮膚部Ｈ１に配設された状態を示している。
【００６０】
保護部材８０が配設されない場合、金属板５０の突設部５１の先端は、前後方向（図４矢印Ｆ，Ｂ方向）全域において皮膚部Ｈ１と当接することができず、一部当接した状態となる。突設部５１の先端から放出されるラジオ波は、突設部５１と皮膚部Ｈ１との当接部に集中するため、皮膚部Ｈ１は火傷を負う。
【００６１】
これに対し、突設部５１の先端と皮膚部Ｈ１との間に保護部材８０の対面部８１及びジェルＧが配設されるため、保護部材８０の下面の一部が皮膚部Ｈ１と当接する場合においても、突設部５１の先端と対面部８１との間にはジェルＧが介在する。その結果、ラジオ波が突設部５１の先端の一部から放出されることを抑制でき、皮膚部Ｈ１が火傷を負うことを抑制できる。
【００６２】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。例えば、上記実施の形態で挙げた形状は一例であり、他の形状を採用することは当然可能である。
【００６３】
上記実施の形態では、保護部材８０の対面部８１、第１立設部８２及び第２立設部８３は、略矩形の板状体から形成される場合を説明したが、必ずしもこれに限られるものではなく、対面部８１が、底面視して略矩形以外の多面体の板状体から形成されても良い。又は、保護部材８０が、底面視して円形に形成されても良い。これらの場合、ハンドピース１０に配設される金属板５０及びガラス部材６０の、ハンドピース１０の外側に突設された突設部の形状が変更されても、形状に合わせた保護部材８０が形成できる。よって、材料の使用量が抑制でき、保護部材８０の部品コストが削減できる。
【００６４】
また、上記実施の形態では、保護部材８０は、光透過性を備えた樹脂材料から形成される場合を説明したが、必ずしもこれに限られるものではなく、第１立設部８２及び第２立設部８３は、光透過性を備えない材料から形成されても良い。よって、保護部材８０（第１立設部８２及び第２立設部８３）の部品コストが削減できる。なお、この場合においても光透過性を備えた樹脂材料から形成される対面部８１から光が透過されるため、人体の皮膚へ光を照射させることができる。
【００６５】
また、上記実施の形態では、保護部材８０の対面部８１、第１立設部８２及び第２立設部８３が接着固定される場合を説明したが、必ずしもこれに限られるものではなく、ボルトの使用により固定されても良い。また、一方が弾性変形可能な係合片を、もう一方が係合片を受け入れ可能な被係合部を備え、係合されることで保護部材８０が形成されても良い。これらの場合、保護部材８０の製造を容易に行うことができ、部品コストが削減できる。
【００６６】
また、上記実施の形態では、保護部材８０は対面部８１、第１立設部８２及び第２立設部８３から形成される場合を説明したが、必ずしもこれに限られるものではなく、削り出し、又は、型成形により、一つの部材から形成されても良い。この場合、保護部材８０の耐久性が向上する。
【００６７】
また、上記実施の形態では、ジェルＧの粘性により、保護部材８０はハンドピース１０（金属板５０）における配設状態を保持できる場合を説明したが、必ずしもこれに限られるものではなく、保護部材８０をハンドピース１０に固定しても良い。この場合、保護部材８０と金属板５０との間に形成された隙間Ｓ１、隙間Ｓ２及び隙間Ｓ３が変化することを抑制できる。
【符号の説明】
【００６８】
１０                    ハンドピース（美容器具の一部）
３０                    キセノンランプ（照射部材の一部）
５０                    金属板
５０ａ                  外面（照射部材の外面）
６０                    ガラス部材（照射部材の一部）
６１                    照射面
８０                    保護部材
８１                    対面部
８２                    第１立設部（立設部）
８３                    第２立設部（立設部）
Ｇ                      ジェル
Ｈ１                    皮膚部（皮膚）
Ｓ１，Ｓ２，Ｓ３        隙間
【図１】
0003211375.tif 000003
【図２】
0003211375.tif 000004
【図３】
0003211375.tif 000005
【図４】
0003211375.tif 000006